(57)【要約】【課題】  無端ベルトに載置される遊技媒体がガイド板により脱水ローラユニットに受け渡される際、前記ガイド板と無端ベルトとの間に挟まれることを防止する。【解決手段】  コンベア本体１２に回転自在に軸支されるローラ１４に巻装される無端ベルト１５の外周面には、長さ方向に沿って等間隔に穴２４が設けられ、該穴２４は長さ方向に略直交する幅方向に沿って等間隔に複数個配設される。前記無端ベルト１５の幅方向に沿って設けられる穴２４の間隔および縁には、該穴２４の略中央部に幅方向に沿って突起部２０が等間隔に複数個設けられる。ローラ１４に巻装される無端ベルト１５の外周面の長軸方向に沿って突出部材２９が配設される。突出部材２９には、突起部２３が挿通する凹部３０が複数個設けられる。凹部３０には、開口部３１に隣接して遊技媒体１６の外径に略近似する湾曲面３２が設けられる。【選択図】  図２
2005103229.tif 000002
【特許請求の範囲】
【請求項１】
遊技機にて使用される遊技媒体に付着した汚れを除去するための遊技媒体洗浄装置であって、
回転自在に軸支される回転体に巻装して変位する移動部材と、
前記移動部材の幅方向に複数個設けられた突起部と、
前記回転体に巻装された前記移動部材の外周面に近接して設けられたガイド機構と、
を備え、
前記ガイド機構には、前記突起部が嵌通する凹部が設けられ、前記移動部材の変位により前記遊技媒体が前記突起部に係合して搬送され、該突起部が前記凹部に嵌通する際、遊技媒体が移動部材とガイド機構との間に挟まることを防止したことを特徴とする遊技媒体洗浄装置。
【請求項２】
請求項１記載の遊技媒体洗浄装置において、
前記凹部は、前記遊技媒体の外径に略近似する湾曲面が設けられることを特徴とする遊技媒体洗浄装置。
【発明の詳細な説明】
【技術分野】
【０００１】  本発明は、例えば、パチスロ、スロットマシン等の遊技機で使用される遊技媒体であるメダルを洗浄する遊技媒体洗浄装置に関するもので、さらに詳細には脱水コンベアの改良に関する。
【背景技術】
【０００２】  パチスロ、スロットマシン等に使用されているメダルを洗浄する遊技媒体洗浄装置は、数多く提案されている。図３に示すように、この種の遊技媒体洗浄装置５０は、供給されるメダルＡを整列して送り出す整列送出手段５１と、前記整列送出手段５１上に配設されメダルＡを洗浄する洗浄液噴射ノズル手段５３と、移送されたメダルＡを受け取り、付着液を除去する付着液除去手段５４とを備える。【０００３】  整列送出手段５１は、ホッパーＨから供給されるメダルＡを受け取り、該メダルＡを移送する搬送コンベア５５と、前記搬送コンベア５５上のメダルＡを拭払し、かつメダルＡが互いに重畳しないように整列させる洗浄ブラシ５６とを備える。前記洗浄ブラシ５６はメダルＡを洗浄するとともに、重なって移行するのを防止するように搬送コンベア５５に対し所定間隔を有し、かつ移送方向とは逆方向に回転するようにして設けられている。【０００４】  また、付着液除去手段５４は、整列送出手段５１の終端部位置に配設されて搬送されてきたメダルＡを受け取るようにした加熱空気室６０と、前記加熱空気室６０内に上方から供給されるメダルＡを順次下方にジグザグ状に導く複数のコンベア群６１による所要乾燥時間を保持する保持手段６２と、室内に加熱空気を供給する加熱空気供給手段６３とから構成される。
整列送出手段５１と付着液除去手段５４との間には、メダルＡを前記整列送出手段５１から前記付着液除去手段５４に受け渡す導入シュート６４が設けられる。【０００５】  この遊技媒体洗浄装置５０において、メダルＡは搬送コンベア５５による移送中に洗浄液が吹き付けられ、洗浄ブラシ５６により重なりを防止するとともに、拭払されて洗浄され導入シュート６４を介して付着液除去手段５４に移送される。そして、付着液除去手段５４の空気加熱室６０内において、メダルＡは加熱空気室６０に配設されたコンベア群６１により搬送される間に、加熱空気供給手段６３により乾燥されて排出シュート６５により機外に排出される（例えば、特許文献１参照）。
【特許文献１】      特許番号  第３１０８７１１号公報（第２頁第４欄〜第３頁第５欄、第１図）
【発明の開示】
【発明が解決しようとする課題】
【０００６】  遊技媒体洗浄装置５０において、導入シュート６４によりメダルＡを整列送出手段５１から付着液除去手段５４に受け渡す際に、該メダルＡが搬送コンベア５５と導入シュート６４との間に挟まって詰まり、搬送コンベア５５が停止することがあった。さらに、メダルＡが挟まることにより傷が表面に発生し使用不可能になることがあった。【０００７】  本発明は、上記の課題を解決するためになされたもので、メダルが導入シュートにより整列送出手段の搬送コンベアから付着液除去手段に移載される際、前記導入シュートと前記搬送コンベアとの間に挟まることを防止した遊戯媒体洗浄装置を提供することを目的とする。
【課題を解決するための手段】
【０００８】  前記課題を解決するため、本発明は、遊技機にて使用される遊技媒体に付着した汚れを除去するための遊技媒体洗浄装置であって、
回転自在に軸支される回転体に巻装して変位する移動部材と、
前記移動部材の幅方向に複数個設けられた突起部と、
前記回転体に巻装された前記移動部材の外周面に近接して設けられたガイド機構と、
を備え、
前記ガイド機構には、前記突起部が嵌通する凹部が設けられ、前記移動部材の変位により前記遊技媒体が前記突起部に係合して搬送され、該突起部が前記凹部に嵌通する際、遊技媒体が移動部材とガイド機構との間に挟まることを防止したことを特徴とする。
この場合、前記凹部は、前記遊技媒体の外径に略近似する湾曲面が設けられることを特徴とする。
【発明の効果】
【０００９】  本発明によれば、移動部材に載置された遊技媒体が該移動部材に挟まることを回避することができるので、移動部材に対する遊技媒体の噛み込みを防止することができ、該遊戯媒体の損傷を少なくすることができ、かつ点検等の作業が容易にでき保守費用を低減することが可能である。
【発明を実施するための最良の形態】
【００１０】  本発明に係る遊技媒体洗浄装置の脱水コンベアについて好適な実施の形態を挙げ、添付図面を参照しながら以下詳細に説明する。【００１１】  図１は、本発明に係る脱水コンベア１０の概略構造を示す。図１に示されるように、脱水コンベア１０は、遊技媒体洗浄装置が形成される筐体１１にコンベア本体１２が取り付けられる。コンベア本体１２は、平面１２ａおよび斜面１２ｂを備える箱形状に形成され、斜面１２ｂに沿ってローラ（回転体）１３、１４が回転自在に設けられる。【００１２】  ローラ１３、１４はコンベア本体１２に取り付けた軸受（図示しない）により軸支され、図示しない駆動源により駆動する。
前記ローラ１３、１４には、可撓性の幅広い無端ベルト（移動部材）１５が巻装されている。よって、ローラ１３、１４の回転により無端ベルト１５が長さ方向に変位する。
なお、ローラ１３は図示しない張力調整機構によって無端ベルト１５の長さ方向に変位可能に設けられ、前記無端ベルト１５の張力が調整される。【００１３】  無端ベルト１５の一端側、例えば、コンベア本体１２の斜面１２ｂの下端に位置するローラ１３の近傍には、洗浄された遊技媒体１６を前記無端ベルト１５上に導出するシュート１７が配設されている。これにより、遊技媒体１６がシュート１７により無端ベルト１５上に載置される。【００１４】  さらに、ローラ１３の近傍の無端ベルト１５の上方には、該無端ベルト１５に載置された遊技媒体１６の滑落を防止するストッパー１８が設けられる。前記ストッパー１８はコンベア本体１２に配設される。よって、遊技媒体１６は無端ベルト１５上に排出されても滑落することなく、該無端ベルト１５上に載置された状態に維持される。【００１５】  また、コンベア本体１２には、無端ベルト１５に載置された遊技媒体１６の渋滞を検出する渋滞センサー１９が設けられ、該渋滞センサー１９の検出信号により図示しない遊技媒体洗浄装置の遊技媒体投入部が所定時間停止され、該遊技媒体投入部に投入される遊技媒体の供給を中断する。【００１６】  さらに、無端ベルト１５には外周面の周囲に長さ方向に沿って開口部、例えば、円形状の穴２４（図２参照）が等間隔に形成され、かつ長さ方向に略直交する幅方向に沿って等間隔に複数個設けられる。【００１７】  無端ベルト１５の幅方向に沿って設けられる穴２４の間隔および縁には、該穴２４の略中央部に幅方向に沿って突起部２０が等間隔に複数個設けられる。【００１８】  これにより、無端ベルト１５に載置にされた遊技媒体１６が突起部２０に係止されて、該無端ベルト１５の変位により搬送される。なお、無端ベルト１５のベルト面からの突起部２０の突出量は遊技媒体１６の厚みよりも若干小さくすると好適である。【００１９】  コンベア本体１２の斜面１２ｂの側壁面には、無端ベルト１５の撓みを回避する支持板２１が該無端ベルト１５の内周面に当接して設けられる。
前記コンベア本体１２の平面１２ａの側壁面には、ローラ１４に近接して遊技媒体１６に付着する洗浄液を拭き取る脱水ローラユニット２２が着脱自在に設けられる。【００２０】  無端ベルト１５の上方には、該無端ベルト１５の変位方向とは反対方向に回転する逆転ローラ２３が設けられる。前記逆転ローラ２３は、コンベア本体１２に回転自在に軸支されて図示しない駆動源により駆動し、無端ベルト１５に載置された遊技媒体１６の重畳を防止する機能を有する。【００２１】  ローラ１４と脱水ローラユニット２２との間には、ガイド板（ガイド機構）２５が設けられる。
図２に示されるように、ガイド板２５は、コンベア本体１２の両側壁面に取着される板材２６、２６と、ローラ１４の長軸方向に指向するブラケット２７に取り付けられる横板材２８と、前記横板材２８よりローラ１４の外周面、すなわち、無端ベルト１５の外周面の湾曲面に沿って突出し、ローラ１４の長軸方向に指向する突出板材２９とから成る。【００２２】  前記突出板材２９には、先端にローラ１４の長軸方向に等間隔に凹部３０が複数個設けられる。凹部３０は、所定間隔の開口部３１と、前記開口部３１に隣接する湾曲面３２とを備える。前記湾曲面３２は、遊技媒体１６の外径に略近似して成形されている。
なお、凹部３０の幅方向の間隔は、突起部２０の幅方向の間隔に対応して設けられる。よって、無端ベルト１５がローラ１３、１４により変位した際、突起部２０が凹部３０に挿通して変位可能に確保される。【００２３】  突出板材２９は、横板材２８に対し所定角度傾斜してローラ１４に巻装される無端ベルト１５の外周面の湾曲面に近接して配設されている。従って、遊技媒体１６は、無端ベルト１５とガイド板２５との間に挟まることなく該ガイド板２５を介して脱水ローラユニット２２に円滑に受け渡しされる。【００２４】  コンベア本体１２の平面１２ａの側壁面には、検出装置３３（図１参照）が設けられる。検出装置３３は、脱水ローラユニット２２に搬送される遊技媒体１６がガイド板２５上に渋滞した際、該遊技媒体１６の渋滞を検出する機能を有し、前記検出装置３３の作動によりガイド板２５上の遊技媒体１６の渋滞が解消するまで無端ベルト１５を停止させる。
する。【００２５】    本発明の実施の形態に係る脱水コンベア１０は、基本的には以上のように構成されるものであり、次にその動作ならびに作用効果について説明する。【００２６】  洗浄された遊技媒体１６がシュート１７により随時、無端ベルト１５の一端側、例えば、ローラ１３の近傍に排出される。これにより、複数個の遊技媒体１６が突起部２０に係止されて無端ベルト１５により該無端ベルト１５の他端側、例えば、ローラ１４側に搬送されてもその搬送途中において突起部２０および逆転ローラ２３により無端ベルト１５に一枚ずつ整列載置される。【００２７】  遊技媒体１６が無端ベルト１５の他端側まで搬送されると、ガイド板２５により脱水ローラユニット２２に搬入される。
この場合、遊技媒体１６は、無端ベルト１５とガイド板２５との間に挟まることなくガイド板２５に受け渡される。【００２８】  本実施の形態に係る脱水コンベア１０においては、遊技媒体１６について説明したが、本発明はこれに類するコンベアにより搬送される搬送物体にも適用できることは勿論である。
【図面の簡単な説明】
【００２９】
【図１】  本発明の実施の形態に係る脱水コンベアの概略構造を示す斜視図である。
【図２】  図１に示すのガイド板の概略構造の斜視図である。
【図３】  従来の遊技媒体洗浄装置の概略構造図である。
【符号の説明】
【００３０】  １０…脱水コンベア
１２…コンベア本体
１３、１４…ローラ
１５…無端ベルト
１６…遊技媒体
２０…突起部
２３…逆転ローラ
２５…ガイド板
２６…板材
２８…横板材
２９…突出板材
３０…凹部
３１…開口部
３２…湾曲面
【図１】
2005103229.tif 000003
【図２】
2005103229.tif 000004
【図３】
2005103229.tif 000005